(57)【要約】      （修正有）【課題】扉の前面をフラットにすることができ、意匠性に優れた防災機器の構造を提供する。【解決手段】防災機器（火災受信機１）は、本体３と扉５を有し、扉５に設けた開口部にパネルユニット１１を着脱可能に取り付けられるようにした構造である。パネルユニット１１は、周辺部に複数の係止片が設けられた枠部２１を有し、扉５の開口部の内側周縁には、係止片が係止可能な係止孔が設けられ、パネルユニット１１を扉５の内側から装着できるようにした。【選択図】図１
2019079898.tif 000002
【特許請求の範囲】
【請求項１】
本体と扉を有し、該扉に設けた開口部にパネルユニットを着脱可能に取り付けられるようにした防災機器の構造であって、
前記パネルユニットは、周辺部に複数の係止片が設けられた枠部を有し、
前記扉の開口部の内側周縁には、前記係止片が係止可能な係止部が設けられており、
前記パネルユニットを前記扉の内側から装着できるようにしたことを特徴とする防災機器の構造。
【請求項２】
前記係止片は前記枠部の周面と同一面上に設けられ、前記枠部における前記係止片が設けられた箇所の内側に前記枠部と連続する補強壁が設けられていることを特徴とする請求項１記載の防災機器の構造。
【請求項３】
前記係止片は板状体からなり、該板の肉厚が前記枠部の肉厚よりも薄肉に設定されていることを特徴とする請求項１又は２に記載の防災機器の構造。
【請求項４】
前記扉の内側における前記開口部の周縁部に内側に向けて立設されたネジ固定ボスと、前記枠部に設けられて前記ネジ固定ボスが遊貫される孔部を有するブラケットとを設けたことを特徴とする請求項１乃至３のいずれか一項に記載の防災機器の構造。
【発明の詳細な説明】
【技術分野】
【０００１】
本発明は、火災受信機等の防災機器の構造に関し、特に本体と扉を有し該扉にパネルユニットを着脱可能に取り付けられる防災機器の構造に関する。
【背景技術】
【０００２】
火災受信機等の防災機器には、本体と扉とを有し、扉には液晶ディスプレイ等が搭載されたパネルユニットを着脱可能に取り付けられるようにしたものがある。
このような火災受信機の例として、例えば特許文献１に扉に設けた開口部に表示操作ユニットを、嵌め込むようにして取り付けたものが開示されている。
【０００３】
特許文献１では、表示操作ユニットの全周縁にフランジを設け、扉の開口部に前面側から装着して、前記開口部の前面側の縁に前記フランジを当接させるようにしている。
【先行技術文献】
【特許文献】
【０００４】
【特許文献１】特開平７−２７４３１７号公報
【発明の概要】
【発明が解決しようとする課題】
【０００５】
特許文献１のものは、表示操作ユニットの全周に設けたフランジを開口縁部に当接させるため、扉の開口部から表示操作ユニットが前面側に突出せざるを得ない。
しかし、最近では火災受信機等の防災機器においても意匠性が重要視されており、扉の前面をフラットにすることが望まれている。
【０００６】
本発明はかかる課題を解決するためになされたものであり、扉の前面を略フラット（略面一）にすることができ、意匠性に優れた防災機器の構造を提供することを目的としている。
【課題を解決するための手段】
【０００７】
（１）本発明に係る防災機器の構造は、本体と扉を有し、該扉に設けた開口部にパネルユニットを着脱可能に取り付けられるようにした防災機器の構造であって、
前記パネルユニットは、周辺部に複数の係止片が設けられた枠部を有し、
前記扉の開口部の内側周縁には、前記係止片が係止可能な係止部が設けられており、
前記パネルユニットを前記扉の内側から装着できるようにしたことを特徴とするものである。
【０００８】
（２）また、上記（１）に記載のものにおいて、前記係止片は前記枠部の周面と同一面上に設けられ、前記枠部における前記係止片が設けられた箇所の内側に前記枠部と連続する補強壁が設けられていることを特徴とするものである。
【０００９】
（３）また、上記（１）又は（２）に記載のものにおいて、前記係止片は板状体からなり、該板の肉厚が前記枠部の肉厚よりも薄肉に設定されていることを特徴とするものである。
【００１０】
（４）また、上記（１）乃至（３）のいずれかに記載のものにおいて、前記扉の内側における前記開口部の周縁部に内側に向けて立設されたネジ固定ボスと、前記枠部に設けられて前記ネジ固定ボスが遊貫される孔部を有するブラケットとを設けたことを特徴とするものである。
【発明の効果】
【００１１】
本発明の防災機器の構造においては、パネルユニットは、周辺部に複数の係止片が設けられた枠部を有し、扉の開口部の内側周縁には前記係止片が係止可能な係止部が設けられており、前記パネルユニットを前記扉の内側から装着できるようにしたことにより、周縁にフランジを設けた従来例のようにパネルユニットが扉の前面側に必然的に突出することがなく意匠性に優れたものにすることができる。
【図面の簡単な説明】
【００１２】
【図１】本実施の形態に係る火災受信機の斜視図である。
【図２】図１に示した扉から表示パネルユニットを外した状態の内部側から見た分解斜視図である。
【図３】図１に示した扉の内部側から見た斜視図である。
【図４】図３の矢視Ａ−Ａ断面図である。
【発明を実施するための形態】
【００１３】
本実施の形態を、防災機器の一例として火災受信機を例に挙げて図１〜図４に基づいて説明する。
本実施の形態に係る火災受信機１は、図１に示すように、金属製の本体３と扉５を有し、扉５に設けた開口部７（図２参照）に液晶ディスプレイ９等を搭載した樹脂製のパネルユニット１１を着脱可能に取り付けられるようにしたものである。本実施の形態の説明においては、液晶ディスプレイ９をパネルユニット１１に搭載し、液晶ディスプレイ９を扉５に取り付けるための表示パネルユニット１１として説明するが、パネルユニット１１はスイッチ等の操作部またはプリンタを搭載しもよいし、それらの複数を搭載するようにしてもよい。
以下、各構成を詳細に説明する。
【００１４】
＜扉＞
扉５は本体３に開閉可能に取り付けられており、矩形の開口部７を有している。扉５の内面側における開口部７の左右縁と下縁には、図２に示すように、表示パネルユニット１１に設けられた後述の係止片２３が係止可能な係止部としての係止孔１３が設けられた板状体からなる係止部材１５が設けられている。
また、扉５の内面側の開口部７の上縁及び下縁のそれぞれにネジ固定ボス１７がそれぞれ２本立設されている。
【００１５】
＜表示パネルユニット＞
表示パネルユニット１１は、液晶ディスプレイ９が設置される窓部１９を有する矩形の樹脂製の枠部２１からなり、枠部２１には複数の係止片２３が設けられている。
本実施の形態では、枠部２１の左右辺のそれぞれに３個と、枠部２１の下辺に１個の係止片２３が設けられている。各係止片２３は、図２の拡大図に示すように、枠部２１と同じ面に、その両側と枠部２１との間にスリットを介して設けられた板状の片部からなり、下部（図中右側）を基端として撓むことができる。各係止片２３はその上部（図中左側）に係止爪２５を有している。
また、係止片２３の肉厚は、枠部２１の肉厚よりも薄く設定されている。これによって、係止片２３が撓みやすくなり、取り付けの際の装着を容易にできる。
【００１６】
枠部２１における係止片２３が設けられた箇所には、係止片２３を内側に迂回して枠部２１と連続するように補強壁２７が設けられている。
補強壁２７を設けることで、枠部２１と同じ面にスリットを介して係止片２３を設けたとしても、枠部２１の剛性を確保できる構造になっている。
補強壁２７は、係止片２３の内側に係止片２３との間に隙間を介して設けられており、係止片２３が内側に撓むのを邪魔することはない。その一方で、係止片２３がある程度内側に撓むと、係止片２３が補強壁２７に当接するので、係止片２３が撓みすぎるのを防止する機能も有している。
【００１７】
係止片２３の肉厚を薄く設定できたのは、補強壁２７を設けることで枠部２１の剛性を確保できているからであり、係止片２３の肉厚は枠部２１の剛性とは関係なく操作性のみに基づいて適宜設定することができる。
【００１８】
表示パネルユニット１１の枠部２１の上辺及び下辺には、ブラケット２９が設けられ、ブラケット２９にはネジ固定ボス１７が遊貫できる孔部３１が設けられている。
【００１９】
上記のように構成された表示パネルユニット１１を扉５に装着する際には、扉５の内面側から表示パネルユニット１１を扉５の開口部７に近づけて、各係止片２３と係止孔１３の位置合わせをした状態で、表示パネルユニット１１を前方に押し込むようにする。これによって、係止片２３が撓んで係止爪２５が係止孔１３に係止する（図３参照）。
このとき、ネジ固定ボス１７はブラケット２９の孔部３１に遊貫され図３及び図４に示すように、ネジ固定ボス１７と孔部３１との間には所定の隙間が形成された状態になる。この状態で、図４に示すように、ネジ固定ボス１７に固定ネジ３３を取り付けることで装着が完了する。
【００２０】
上記のように構成された本実施の形態の作用効果を説明する。
本実施の形態では、枠部２１の外形状が扉５の開口部７の形状とほぼ同形状として、扉５の内側から表示パネルユニット１１を装着できるようにしたので、開口部７に表示パネルユニット１１が丁度嵌りこむように設置することができ、表示パネルユニット１１と扉５の前面とを略面一にすることができ、意匠性に優れている。
【００２１】
従来例のように、表示パネルユニットの全周にフランジがある場合には、表示パネルユニットを装着した状態で、フランジが扉の開口縁に当接する。このため、表示パネルユニットの操作時に押圧荷重が作用してもフランジが反力受けとなって表示パネルユニットが撓むことがない。
この点、本実施の形態は、フランジを有しておらず、操作時の荷重を受けるのは枠部２１となるため、荷重によって枠部２１が撓み、係止片２３に荷重が集中することが考えられる。しかし、本実施の形態のように、補強壁２７を設けて枠部２１が全周に亘って連続する構造にしていることで、枠部２１の剛性が確保されて撓みにくくなっているので、係止片２３に荷重が集中することなく係止が外れることがない。
つまり、表示パネルユニット１１を扉５の内側から装着が可能な構造にしたことで、フランジを無くする必要があるが、フランジを無くしたことによる枠部２１の剛性の低下を、補強壁２７を設けることで補うようにしていると言える。
【００２２】
また、補強壁２７を設けることで、係止片２３には自身による枠の剛性確保の必要がなくなったため、係止片２３の板厚を薄くすることができ、表示パネルユニット１１の装着の際の動作がスムーズになっている。
【００２３】
さらに、ブラケット２９とネジ固定ボス１７によってネジ固定するようにしたことで、操作等で火災受信機１の正面に大きな力が作用したときに表示パネルユニット１１が外れることがない。
また、ブラケット２９の孔部３１とネジ固定ボス１７との間には隙間があるので、温度変化で金属製の扉５の変形（膨張や収縮）よりも、樹脂製の表示パネルユニット１１のほうが大きく変形したとしても、ネジ固定ボス１７と孔部３１は面内（扉５の開口部７を有する面と水平）での移動が可能になっているので、ネジ固定ボス１７を起点として変形することを防止できる。このため、例えば扉５側に係合している係止片２３が収縮により、ネジ固定ボス１７側に引き寄せられて外れてしまうことを防止することができる。
なお、図４に示すように、表示パネルユニット１１に段部３５を設け、表示パネルユニット１１が扉５の内側で扉５の開口部７よりも大きくすることで、温度変化により収縮変形したとしても、段部３５により開口部７との隙間が生じることなく、扉５の内側が見えるというおそれがない。
【符号の説明】
【００２４】
１  火災受信機
３  本体
５  扉
７  開口部
９  液晶ディスプレイ
１１  パネルユニット（表示パネルユニット）
１３  係止孔
１５  係止部材
１７  ネジ固定ボス
１９  窓部
２１  枠部
２３  係止片
２５  係止爪
２７  補強壁
２９  ブラケット
３１  孔部
３３  固定ネジ
３５  段部
【図１】
2019079898.tif 000003
【図２】
2019079898.tif 000004
【図３】
2019079898.tif 000005
【図４】
2019079898.tif 000006